(57)【要約】【課題】コンパクトでスリムドライブへの搭載が可能になる３波長対応光学系を有する光ピックアップ装置を提供すること。【解決手段】コリメートレンズ２１７から２波長半導体レーザ光源２０２への光路と、青紫色半導体レーザ光源２０１およびＰＤＩＣ２２２への光路を第１のビームスプリッタ２１３で分離し、青紫色半導体レーザ光源２０１とＰＤＩＣ２２２の光路をＢＳ２で分離する。【選択図】      図５
2009170021.tif 000002
【特許請求の範囲】
【請求項１】
波長４０５ｎｍ帯の第１のレーザ光源と、波長６６０ｎｍ帯の第２のレーザ光源と、波長７８０ｎｍ帯の第３のレーザ光源と、前記第１のレーザ光源、前記第２のレーザ光源、および前記第３のレーザ光源からの何れかのレーザビームを光ディスクに対して結像させる対物レンズと、前記光ディスクで反射した反射レーザビームを受光して光情報を検出する受光素子と有する光ピックアップ装置であって、
前記第１のレーザ光源から出射する第１のレーザビームを反射させ、前記第２のレーザ光源から出射する第２のレーザビームおよび前記第３のレーザ光源から出射する第３のレーザビームを透過させることにより前記第１のレーザビーム、前記第２のレーザビーム、および前記第３のレーザビームの光路を重ねる第１の光学素子と、
前記第１のレーザ光源から出射する前記第１のレーザビームを反射または透過させることにより、前記第１のレーザビームの光路を前記第１の光学素子から前記受光素子へ向かう前記反射レーザビームの光路に重ねる第２の光学素子とを具備することを特徴とする光ピックアップ装置。
【請求項２】
前記第１の光学素子の４０５ｎｍ帯のＳ偏光光の反射率は７０％より高く、前記第１の光学素子の６６０ｎｍ帯および７８０ｎｍ帯のＳ偏光光の透過率は７０％より高いことを特徴とする請求項１記載の光ピックアップ装置。
【請求項３】
前記第２の光学素子の４０５ｎｍ帯のＰ偏光光の透過率が７０％より高く、前記第２の光学素子の６６０ｎｍ帯および７８０ｎｍ帯のＳ偏光光の透過率が７０％より高いことを特徴とする請求項２記載の光ピックアップ装置。
【請求項４】
前記第１の光学素子は４０５ｎｍ帯のＳ偏光の反射率が７０％より高く、６６０ｎｍ帯および７８０ｎｍ帯のＰ偏光の透過率が７０％より高いことを特徴とする請求項１記載の光ピックアップ装置。
【請求項５】
前記第２の光学素子の４０５ｎｍ帯、６６０ｎｍ帯および７８０ｎｍ帯のＰ偏光光の透過率が７０％より高いことを特徴とする請求項４記載の光ピックアップ装置。
【請求項６】
ガイドに沿って平行移動する光ピックアップ装置を有する光ディスク装置であって、
前記光ピックアップ装置は、
波長４０５ｎｍ帯の第１のレーザ光源と、
波長６６０ｎｍ帯の第２のレーザ光源と、波長７８０ｎｍ帯の第３のレーザ光源と、
前記第１のレーザ光源、前記第２のレーザ光源、および前記第３のレーザ光源からの何れかのレーザビームを光ディスクに対して結像させる対物レンズと、
前記光ディスクで反射した反射レーザビームを受光して光情報を検出する受光素子と、
前記第１のレーザ光源から出射する第１のレーザビームを反射させ、前記第２のレーザ光源から出射する第２のレーザビームおよび前記第３のレーザ光源から出射する第３のレーザビームを透過させることにより前記第１のレーザビーム、前記第２のレーザビーム、および前記第３のレーザビームの光路を重ねる第１の光学素子と、
前記第１のレーザ光源から出射する前記第１のレーザビームを反射または透過させることにより、前記第１のレーザビームの光路を前記第１の光学素子から前記受光素子へ向かう前記反射レーザビームの光路に重ねる第２の光学素子と
を具備することを特徴とする光ディスク装置。
【請求項７】
前記第１の光学素子の４０５ｎｍ帯のＳ偏光光の反射率が７０％より高く、前記第１の光学素子の６６０ｎｍ帯および７８０ｎｍ帯のＳ偏光光の透過率が７０％より高いことを特徴とする請求項６記載の光ディスク装置。
【請求項８】
前記第２の光学素子の４０５ｎｍ帯のＰ偏光光の透過率が７０％より高く、前記第２の光学素子の６６０ｎｍ帯および７８０ｎｍ帯のＳ偏光光の透過率が７０％より高いことを特徴とする請求項７記載の光ディスク装置。
【請求項９】
前記第１の光学素子は４０５ｎｍ帯のＳ偏光の反射率が７０％より高く、６６０ｎｍ帯および７８０ｎｍ帯のＰ偏光の透過率が７０％より高いことを特徴とする請求項６に記載の光ディスク装置。
【請求項１０】
前記第２の光学素子の４０５ｎｍ帯、６６０ｎｍ帯および７８０ｎｍ帯のＰ偏光光の透過率が７０％より高いことを特徴とする請求項９記載の光ディスク装置。
【発明の詳細な説明】
【技術分野】
【０００１】
本発明は、光ピックアップ装置及び光ディスク装置に関し、特に３波長の記録を行う光ピックアップ装置及び光情報記録再生装置に関する。
【背景技術】
【０００２】
近年、波長の短い青紫色レーザを用いた高密度光情報記録媒体や、その記録／再生を行う光ディスク装置の開発が活発に行われている。これらの装置では、ＣＤやＤＶＤといった波長の異なる媒体のも対応できることが要請されている。
【０００３】
そこで、波長４０５ｎｍ帯，波長６６０ｎｍ帯，波長７８０ｎｍ帯のレーザビームＬ１〜Ｌ３を出射するレーザ光源Ｄ１〜Ｄ３と、光ディスクＤＫで反射したレーザビームＬ１〜Ｌ３を受光して光情報を検出する受光素子ＰＤと、各レーザ光源Ｄ１〜Ｄ３から光ディスクＤＫへの光路と光ディスクＤＫから受光素子ＰＤへの光路との分岐を行う偏光ビームスプリッタＣＳと、を備え、偏光ビームスプリッタＣＳと受光素子ＰＤとの間に、波長４０５ｎｍ帯，波長６６０ｎｍ帯及び波長７８０ｎｍ帯の透過光量を調整する光学フィルターＣＦを備えたピックアップが考えられている（特許文献１）。
【特許文献１】特開２００５−１４１８８４号公報
【発明の開示】
【発明が解決しようとする課題】
【０００４】
上述した文献では、最も長い光路であるコリメートレンズから光源Ｄ１までの光路とコリメートレンズから受光素子までの光路の共通部分が少ないため、光学系の占める投影面積が大きくなり、スペースが狭いスリムドライブへ搭載することが困難であるという問題がある。
【０００５】
本発明の目的は、コンパクトでスリムドライブへの搭載を可能にし、安価で少ない光学部品より構成できる３波長対応光学系を有する光ピックアップ装置及び光ディスク装置を提供することにある。
【課題を解決するための手段】
【０００６】
本発明の一例に係わる光ピックアップ装置は、波長４０５ｎｍ帯の第１のレーザ光源と、波長６６０ｎｍ帯の第２のレーザ光源と、波長７８０ｎｍ帯の第３のレーザ光源と、前記第１のレーザ光源、前記第２のレーザ光源、および前記第３のレーザ光源からの何れかのレーザビームを光ディスクに対して結像させる対物レンズと、前記光ディスクで反射した反射レーザビームを受光して光情報を検出する受光素子と有する光ピックアップ装置であって、前記第１のレーザ光源から出射する第１のレーザビームを反射させ、前記第２のレーザ光源から出射する第２のレーザビームおよび前記第３のレーザ光源から出射する第３のレーザビームを透過させることにより前記第１のレーザビーム、前記第２のレーザビーム、および前記第３のレーザビームの光路を重ねる第１の光学素子と、前記第１のレーザ光源から出射する前記第１のレーザビームを反射または透過させることにより、前記第１のレーザビームの光路を前記第１の光学素子から前記受光素子へ向かう前記反射レーザビームの光路に重ねる第２の光学素子とを具備することを特徴とする。
【０００７】
本発明の一例に係わる光ディスク装置は、前記光ピックアップ装置を有することを特徴とする。
【発明の効果】
【０００８】
本発明によれば、コンパクトでスリムドライブへの搭載を可能にし、安価で少ない光学部品より構成できる３波長対応光学系を有する光ピックアップ装置、及びこの光ピックアップ装置を有する光ディスク装置を提供することができる。
【発明を実施するための最良の形態】
【０００９】
本発明の実施の形態を以下に図面を参照して説明する。
【００１０】
本発明の実施の形態に係る光ピックアップ装置について、図面を参照しながら説明する。
【００１１】
図１は、本発明の一実施形態に係わる光ディスク装置の構成を示す斜視図である。この光ディスク装置は、赤外レーザビームを用いるＣＤ、赤色レーザビームを用いるＤＶＤ、および青紫色レーザを用いる光ディスク（例えばＨＤ ＤＶＤやＢｕｌ−ｒａｙ  Ｄｉｓｃ）等の光ディスクをドライブすることが可能である。
【００１２】
光ディスク装置１２は、図１に示すように、イジャクトボタン１４を備えており、このイジャクトボタン１４を押下する等により、本体内に格納されているドロワー部１６が射出される。
【００１３】
ドロワー部１６は、図２に示すように、ドライブの駆動回路基板部と、メカユニット１８とから構成される。また、メカユニット１８の光ピックアップ部（ＰＵＨ）２８は、ディスク回転モータ（スピンドルモータ）２２を中心とした半径方向であるα方向に移動経路を取るように駆動される。
【００１４】
メカユニット１８は、図３に示すように、スピンドルモータ２２と、ピックアップ部２８と、スピンドルモータ２２、ピックアップ部２８およびピックアップ部２８を駆動させる機構等を保持し、更にこれらのメカ部を覆うためのカバー部材２０を備えている。またピックアップ部２８には読み取りレーザを射出するための対物レンズ２４が搭載されている。なお、メカユニット１８は、フレキシブルケーブル（ＦＰＣ）３０によって、光ディスク装置１２の所定の回路基板に接続される。
【００１５】
次に、メカユニット１８からカバー部材２０を除いた斜視図を図４に示す。メカユニット１８は、更にピックアップ駆動機構として、ピックアップ送りモータからリードスクリュー及びこれに噛み合ったラックギアを介してピックアップ部２８に駆動力を付与し、駆動力を伝達するラックギアが取り付けられる主軸（ガイド）２３と、主軸２３とは反対側にあり駆動力の伝達には関与せずにピックアップ部２８を支持する副軸（ガイド）２５とを有する。
【００１６】
光ピックアップ部２８の構成を図５の平面図に示す。
【００１７】
この光ピックアップ部２８は、青紫色レーザ対応の高密度メディア，赤色レーザ対応の光情報記録媒体，赤外レーザ対応の光情報記録媒体のいずれに対しても光情報の記録／再生を行うことが可能な３波長対応の光ピックアップ装置である。
【００１８】
図５に示すように、光ピックアップ部は、波長４０５ｎｍ帯の青紫色レーザビームを出射する青紫色半導体レーザ光源（第１のレーザ光源）２０１、波長６６０ｎｍ帯の赤色レーザビームと波長７８０ｎｍ帯の赤外レーザビームとを出射する２波長半導体レーザ光源（第２のレーザ光源、第３のレーザ光源）２０２、回折格子２１１、倍率変換レンズ２１２、第１のビームスプリッタ２１３、回折格子２１４、第２のビームスプリッタ２１５、コリメートレンズ２１７、１／４波長板２１８、第１ミラー２１９、対物レンズ２４、センサレンズ２２１、信号検出用ＰＤＩＣ（Ｐｈｏｔｏ Ｄｉｏｄｅ−ＩＣ）２２２、およびモニタＰＤ（Photo Diode）２２３等を有する。
【００１９】
第１のビームスプリッタ２１３は、青紫色半導体レーザ光源２０１から出射する青紫色レーザビームの光路、並びに２波長半導体レーザ光源２０２から出射する赤色レーザビームおよび赤外レーザビームの光路を共通にするために設けられている。また、第１のビームスプリッタ２１３は、光ディスクに入射して反射された前記いずれのレーザビームも反射して、信号検出用ＰＤＩＣへ導くために設けられる。
【００２０】
第１のビームスプリッタ２１３は、平行平面板状のものが好適で、基板となる透明な平行平面板（図示しない）と、その一方の面に施された多層光学薄膜(又は保護膜で覆われた多層光学薄膜)から成る偏光分離膜（図示しない）と、他方の面に施された多層光学薄膜(又は保護膜で覆われた多層光学薄膜)から成る反射防止膜（図示しない）とで構成され、光路分岐の機能を果たすものである。
【００２１】
第１のビームスプリッタ２１３の分光特性を図６に示す。図６に示すように、波長６６０ｎｍ帯および波長７８０ｎｍ帯のレーザビームのＳ偏光の多くを透過させ、一部が反射する。また、４０５ｎｍ帯のレーザビームのＳ偏光の多くを反射させる。
【００２２】
なお、第１のビームスプリッタ２１３は、４０５ｎｍ帯のＳ偏光光の反射率が７０％より高く、６６０ｎｍ帯および７８０ｎｍ帯のＳ偏光光の透過率が７０％より高いことが好ましい。現状で使われている半導体レーザのパワーおよび他の光学素子での損失を考慮すると、光ディスクから情報を読み出す、または光ディスクに情報を書き込むために必要なパワーのレーザビームを照射するために必要な数値である。また、より好ましくは、第１のビームスプリッタ２１３は、４０５ｎｍ帯のＳ偏光光の反射率が８０％より高く、６６０ｎｍ帯および７８０ｎｍ帯のＳ偏光光の透過率が８０％より高いことが好ましい。
【００２３】
本実施形態の場合、第１のビームスプリッタ２１３の４０５ｎｍ帯のＳ偏光光の反射率が９０％、６６０ｎｍ帯および７８０ｎｍ帯のＳ偏光光の透過率が７８％である。
【００２４】
第２のビームスプリッタ２１５は、第１のビームスプリッタ２１３で反射された光ディスクで反射されたレーザビームを信号検出用ＰＤＩＣ２２２に入射させると共に、青紫色半導体レーザ光源２０１から出射する青紫色レーザビームの光路を光ピックアップヘッドの移動方向に略平行な方向にして、青紫色レーザビームを第１のビームスプリッタに入射させるために設けられている。
【００２５】
第２のビームスプリッタ２１５は、例えば、多層光学薄膜から成るダイクロイック膜（図示しない）を介して２つのガラスプリズムを貼り合わせた構成とする。図７に第２のビームスプリッタの分光特性を示す。図７に示すように、波長６６０ｎｍ帯および波長７８０ｎｍ帯のレーザビームのＳ偏光の多くを透過させ、波長４０５ｎｍ帯のレーザビームのＳ偏光の多くを反射させ、波長４０５ｎｍ帯のレーザビームのＰ偏光の多くを透過させる、選択性を有している。
【００２６】
なお、第２のビームスプリッタ２１５は、４０５ｎｍ帯のＰ偏光光の透過率が７０％より高く、６６０ｎｍ帯および７８０ｎｍ帯のＳ偏光光の透過率が７０％より高いことが好ましい。現状で使われている半導体レーザのパワーおよび他の光学素子での損失を考慮すると、光ディスクから情報を読み出す、または光ディスクに情報を書き込むために必要なパワーのレーザビームを照射するために必要な数値である。また、より好ましくは、第２のビームスプリッタ２１５は、４０５ｎｍ帯のＰ偏光光の透過率が８０％より高く、６６０ｎｍ帯および７８０ｎｍ帯のＳ偏光光の透過率が８０％より高いことが好ましい。
【００２７】
本実施形態の場合、第２のビームスプリッタ２１５の４０５ｎｍ帯のＰ偏光光の透過率が７０％より高く、６６０ｎｍ帯および７８０ｎｍ帯のＳ偏光光の透過率が７０％より高いことが好ましい
受光素子としての信号検出用ＰＤＩＣ２２２は、例えば、多分割されたＰＩＮフォトダイオードで構成し、入射光束の強度に比例した電流出力又はＩＶ変換された電圧を各素子から出力する。その出力から、例えば図示しない検出回路を経て、情報信号，フォーカスエラー信号，トラックエラー信号が生成される。
【００２８】
光量モニタ用ＰＤ２２３は、第１のビームスプリッタ２１３を透過（反射）したレーザビームで各レーザ光源のレーザ出力を波長に応じた光量を検出する、モニタ用受光素子である。光量モニタ用ＰＤ２２３は、ゴーストを防止するためにレーザビームの主光線に対して傾けるのが好適である。
【００２９】
なお、本実施の形態では、フォーカスエラー検出は、いわゆる非点収差法を採用することができ、トラックエラー検出は、ＤＰＤ法又はＤＰＰ法(differential push-pull method)を採用することができる。円筒状レンズをレーザビームが通過する際に非点収差が付加されるので、簡単な構成でフォーカスエラー信号を得ることができる。
【００３０】
青紫色半導体レーザ光源２０１から出射するレーザビームについて、往路と復路に分けて説明する。ここで、往路とは青紫色半導体レーザ光源２０１からレーザ光を出射し、光ディスクの情報記録面に集光して光スポットを形成するまでの光路を指し、復路とは媒体の情報記録面からの反射戻り光を受光素子の光検出面に集光するまでの光路を指す。
【００３１】
先ず、往路について説明する。青紫色半導体レーザ光源２０１から出射するレーザビームは、直線偏光（Ｓ偏光）の発散光である。青紫色半導体レーザ光源２０１から出射したレーザビームは、回折格子に入射する。回折格子に入射したレーザビームは、光ディスクに対する記録／再生を行うためのメインビーム(０次光)と、ＤＰＰ法若しくは３ビーム法によってトラッキングエラーを検出するための２つのサブビーム(±１次光)と、に分光される。
【００３２】
回折格子から出射した青紫色レーザビームは、第２のビームスプリッタ２１５に入射する。青紫色レーザビームは、第２のビームスプリッタ２１５によって多くが反射し、９０度光路を曲げられ、第２のビームスプリッタ２１５から出射する青紫色レーザビームの光路が光ピックアップの移動方向に平行な方向になる。そして、青紫色レーザビームは第１のビームスプリッタ２１３で多くが反射され、コリメートレンズ２１７に入射する。コリメートレンズ２１７は、青紫色レーザビームを略平行ビームに変換する。コリメートレンズ２１７で略平行ビームに変換されたレーザビームは、１／４波長板２１８に入射する。１／４波長板２１８は、入射する青紫色レーザビームを円偏光に変換する。１／４波長板２１８から出射する青紫色レーザビームは、第１ミラー２１９に入射して９０度光路が曲げられ、青紫色レーザビームの光路が光ディスクに直交するようになる。光路が曲げられた青紫色レーザビームは、対物レンズ２４に入射して、光ディスクの情報記録面上で光スポットとして結像する。なお、対物レンズ２４は波長互換タイプのもので、単レンズ方式に限らず、ツインレンズ方式でもよい。
【００３３】
次に、復路について説明する。光ディスクからの反射戻り光は、往路と同じ経路逆に、対物レンズ２４、第１ミラー２１９、１／４波長板２１８、コリメートレンズ２１７、および第１のビームスプリッタ２１３を通過する。１／４波長板２１８を透過する際、Ｓ偏光であった青紫色レーザビームは、Ｐ偏光に変換される。第１のビームスプリッタ２１３で多くが反射された青紫色レーザビームは、第２のビームスプリッタ２１５に入射する。Ｐ偏光の青紫色レーザビームは、第２のビームスプリッタ２１５を多くが透過する。第２のビームスプリッタ２１５を透過した青紫色レーザビームは、非点収差用のセンサレンズ２２１を通り、信号検出用ＰＤＩＣ２２２に入射する。入射光に含まれている光情報が、信号検出用ＰＤＩＣ２２２で検出される。復路の光学倍率はフォーカス検出感度を高くし、特に多層ディスクでの層間干渉を少なくするためにできるだけ高く設定することが望ましい。
【００３４】
次に、２波長半導体レーザ光源２０２から出射する赤色レーザビームまたは赤外レーザビームについて、往路と復路に分けて説明する。ここで、往路とは２波長半導体レーザ光源２０２から赤色レーザビームまたは赤外レーザビームを出射し、光ディスクの情報記録面に集光して光スポットを形成するまでの光路を指し、復路とは媒体の情報記録面からの反射戻り光を受光素子の光検出面に集光するまでの光路を指す。
【００３５】
先ず、往路について説明する。２波長半導体レーザ光源２０２から出射する赤色レーザビームまたは赤外レーザビームは、直線偏光（Ｓ偏光）の発散光である。２波長半導体レーザ光源２０２から出射した赤色レーザビームまたは赤外レーザビームは、回折格子２１１に入射する。回折格子２１１に入射した赤色レーザビームまたは赤外レーザビームは、光ディスクに対する記録／再生を行うためのメインビーム(０次光)と、ＤＰＰ法若しくは３ビーム法によってトラッキングエラーを検出するための２つのサブビーム(±１次光)と、に分光される。
【００３６】
上記の２つの半導体レーザ光源から複数の波長のレーザビームが同時に出射することはない。例えば、光ディスクの厚さの違いや光ディスクに記録されて情報に応じて、どのレーザ光源を使うかが判断される。その判断に基づいて２つのレーザ光源の何れかが点灯し、所定の波長のレーザビームが出射して、光ディスクの情報記録面に対する光情報の記録又は再生が行われる。
【００３７】
回折格子２１１から出射した赤色レーザビームまたは赤外レーザビームは、倍率変換レンズを入射する。倍率変換レンズ２１２は、光効率を高くするために設けられている。赤外レーザビーム、赤色レーザビーム、青紫色レーザビームの順番でスポットサイズに対して記録密度が低いため、特に赤外レーザビームは対物レンズ入射光のリム強度が下がりスポットサイズが大きくなっても、光効率を高くし記録速度を早くする方が利用価値が高い。そこで、倍率変換レンズ２１２を通すことによって、赤外レーザビームの光効率を高くしている。この倍率変換レンズにより、赤外レーザビームおよび赤色レーザビームの光学倍率は青紫色レーザビームの光学倍率より低くなり、その結果、コリメートレンズから第２の光源および第３の光源までの距離がコリメートレンズから第１の光源までの距離より長くなる。
【００３８】
倍率変換レンズ２１２を出射した赤色レーザビームまたは赤外レーザビームの多くは、第１のビームスプリッタ２１３を透過し、第１のビームスプリッタ２１３で反射される青紫色レーザビームの光路と共通になる。
【００３９】
そして、赤色レーザビームまたは赤外レーザビームは、コリメートレンズ２１７に入射し、コリメートレンズ２１７は、赤色レーザビームまたは赤外レーザビームを略平行ビームに変換する。コリメートレンズ２１７で略平行ビームに変換された赤色レーザビームまたは赤外レーザビームは、１／４波長板２１８に入射する。１／４波長板２１８は、入射する赤色レーザビームまたは赤外レーザビームを円偏光に変換する。１／４波長板２１８から出射する赤色レーザビームまたは赤外レーザビームは、第１ミラー２１９に入射して９０度光路が曲げられ、赤色レーザビームまたは赤外レーザビームの光路が光ディスクに直交するようになる。光路が曲げられた赤色レーザビームまたは赤外レーザビームは、対物レンズ２４に入射して、光ディスクの情報記録面上で光スポットとして結像する。
【００４０】
次に、復路について説明する。光ディスクからの反射光は、往路と同じ経路逆に、対物レンズ２４、第１ミラー２１９、１／４波長板２１８、および第１のビームスプリッタ２１３を反射する。１／４波長板２１８を透過する際、Ｓ偏光であった赤色レーザビームまたは赤外レーザビームは、Ｐ偏光に変換される。第１のビームスプリッタ２１３で赤色レーザビームまたは赤外レーザビームのＰ偏光の約２０％が反射され、第２のビームスプリッタ２１５に入射する。Ｐ偏光の赤色レーザビームまたは赤外レーザビームの多くは、第２のビームスプリッタ２１５を透過し、非点収差用のセンサレンズ２２１を通り、信号検出用ＰＤＩＣ２２２に入射する。入射光に含まれている光情報が、信号検出用ＰＤＩＣ２２２で検出される。
【００４１】
ようするに、本装置の光ピックアップ部は、波長４０５ｎｍ帯の青紫色レーザビームを出射する青紫色半導体レーザ光源２０１および前記光ディスクの反射レーザビームを受光して光情報を検出する信号検出用ＰＤＩＣ２２２を、光ピックアップの移動方向の光ディスク中心より遠い側に１個の第２のビームスプリッタ２１５を介して近接配置することで、最も長い光路であるコリメートレンズ２１７から青紫色半導体レーザ光源２０１までの光路とコリメートレンズ２１７から信号検出用ＰＤＩＣ２２２までの光路の共通部分を多くしている。更に、光ピックアップの移動方向とほぼ直交する方向に、波長６６０ｎｍ帯および波長７８０ｎｍ帯の２波長半導体レーザ光源２０２、および波長７８０ｎｍ帯のレーザビームの光効率を高くするための倍率変換レンズ２１２を配置し、コリメートレンズ２１７よりこれら光学素子までの光路が青紫色半導体レーザ光源２０１からの青紫色レーザビームの光路の一部を含むようにしている。
【００４２】
本装置では、図５に示すように、対物レンズから主軸２３または副軸２５までの距離が短いので、光学倍率が低い２波長半導体レーザが出射される２波長半導体レーザ光源２０２を、主軸２３（または福軸２５）側に配置する。また、対物レンズより光ディスクの外周方向までの距離にも制限が有るので、青紫色半導体レーザ光源２０１を、主軸２３（または福軸２５）の長手方向に略直交する方向に出射した後、第２のビームスプリッタによってディスクの径方向に曲げる。なお、青紫色半導体レーザ光源２０１と信号検出用ＰＤＩＣとの位置は交換可能である。
【００４３】
上述したレイアウトの結果、光ピックアップ部の投影面積を小さくすることが出来、ノートブック型コンピュータに搭載される光ディスク装置に対して好適になる。
【００４４】
なお、２波長半導体レーザ光源２０２から出射する赤色レーザビームおよび赤外レーザビームをλ／２板を用いて偏光面を回転させＰ偏光とすることもできる。この場合、第１のビームスプリッタ２１３の分光特性は、図８に示すように、６６０ｎｍ帯および７８０ｎｍ帯のＰ偏光光の透過率は８０％程度と高く設定し、Ｓ偏光の透過率を５０％程度(反射率約５０％)とする。光ディスクで反射した赤色レーザビームおよび赤外レーザビームはＳ偏光で第１のビームスプリッタへ入射し、そのＳ偏光の約５０％が反射し、第２のビームスプリッタ２１５に入射する。第２のビームスプリッタ２１５の分光特性は図９に示すように、６６０ｎｍ帯および７８０ｎｍ帯でＳ偏光およびＰ偏光光の透過率は５０％程度とする。
【００４５】
また、赤色レーザビームと赤外レーザビームとの光源として２波長半導体レーザ光源２０２を用いたが、図１０に示すように、レーザビーム毎に光源２３１，２４１を用いても良い。
【００４６】
図１０に示すように、赤外半導体レーザ光源２３１から出射する赤外レーザビームは、回折格子２３２、および倍率変換レンズ２３３を透過して、プリズム２５１に入射する。赤外レーザビームは、プリズム２５１を透過して第１のビームスプリッタ２１３に入射する。また、赤色半導体レーザ光源２４１から出射する赤色レーザビームは、回折格子２４２、および倍率変換レンズ２４３を透過して、プリズム２５１に入射する。赤色レーザビームは、プリズム２５１で反射されて第１のビームスプリッタ２１３に入射する。プリズム２５１を透過する赤外レーザビームの光路と、プリズムで反射される赤色レーザビームの光路とは共通になる。第１のビームスプリッタ２１３に入射した赤色レーザビーム、および赤外レーザビームの光路は先に説明したのと同様なので省略する。この場合赤外レーザビームの光学倍率が赤色レーザビームの光学倍率より低くなるように倍率変換レンズの焦点距離を設定する。
【００４７】
ようするに、本装置の光ピックアップ部は、波長４０５ｎｍ帯の青紫色レーザビームを出射する青紫色半導体レーザ光源２０１および前記光ディスクの反射レーザビームを受光して光情報を検出する信号検出用ＰＤＩＣ２２２を、光ピックアップの移動方向の光ディスク中心より遠い側に１個の第２のビームスプリッタ２１５を介して近接配置することで、最も長い光路であるコリメートレンズ２１７から青紫色半導体レーザ光源２０１までの光路とコリメートレンズ２１７から信号検出用ＰＤＩＣ２２２までの光路の共通部分を多くしている。更に、光ピックアップの移動方向とほぼ直交する方向に、波長６６０ｎｍ帯の赤色半導体レーザ光源２４１および波長７８０ｎｍ帯の赤外半導体レーザ光源２３１、および赤外半導体レーザ光源２３１からのレーザビームの光効率を高くするための倍率変換レンズ２１２を配置し、コリメートレンズ２１７よりこれら光学素子までの光路が青紫色半導体レーザ光源２０１からの青紫色レーザビームの光路の一部を含むようにしている。
【００４８】
また、各レーザ光源はそのビーム断面の強度分布が楕円形をしており、その長軸が光ディスクのトラック方向を向くように配置しているが、この長軸方向とトラック方向のなす角度を３０度または４５度としてもよい。この場合は、各レーザ光源の前にλ／２板を配置し、その偏光方向がビームスプリッタに対して所定の向きとなるようにλ／２板の光学軸を設定する。
【００４９】
また、青紫色半導体ビーム光源２０１から出射する青紫色レーザビームを記録用ディスクに記録を行わず再生専用のドライブに用いる場合、第２のビームスプリッタ２１５の分光特性は、図１１に示すような特性であっても良い。
【００５０】
記録用ディスクに記録を行う場合、大きいパワーのレーザビームをディスクに照射する必要がある。しかし、再生専用ドライブの場合、ディスクに大きいパワーの青紫色レーザビームを照射する必要はない。従って、図１１に示すように、Ｓ偏光の反射率が低い特性のビームスプリッタを用いることが出来る。
【００５１】
なお、第２のビームスプリッタ２１５は、４０５ｎｍ帯、６６０ｎｍ帯および７８０ｎｍ帯のＰ偏光光の透過率が７０％より高いことが好ましい。現状で使われている半導体レーザのパワーおよび他の光学素子での損失を考慮すると、光ディスクから情報を読み出す、または光ディスクに情報を書き込むために必要なパワーのレーザビームを照射するために必要な数値である。また、より好ましくは、第２のビームスプリッタ２１５は、４０５ｎｍ帯、６６０ｎｍ帯および７８０ｎｍ帯のＰ偏光光の透過率がことが好ましい。
【００５２】
この場合、図１２に示すように、第２のビームスプリッタを２つのガラスプリズムを貼り合わせた構成ではなく、プレート型のビームスプリッタ２１５Ａを用いることが出来る。プレート型のビームスプリッタ２１５Ａを用いることで２つのガラスプリズムを貼り合わせた構成のビームスプリッタに比べて安価になる。
【００５３】
なお、図１３に示すように、波長互換タイプの単レンズ方式ではなく、青紫用対物レンズ２４ＡとＣＤ／ＤＶＤの互換（赤色および赤外互換）の対物レンズ２４Ｂの２レンズ方式であっても、本実施形態で説明した効果を得ることが出来る。なお、図１３において、ビームスプリッタ３０１は赤色レーザビームおよび赤外レーザビームが透過し、青紫レーザビームが反射する特性を有する。また、第３のミラー３０１は赤色レーザビームおよび赤外レーザビームが反射する特性を有する。
【００５４】
また、図５と同様な光路では、主軸２３と副軸２５との間に二つの対物レンズ２４Ａ，２４Ｂを配置することが出来ない。そこで、２レンズ方式の場合、第２ミラー２１６によって、第１のビームスプリッタ２１３によって光路が重なるレーザビーム、および光ディスクからのレーザビームを反射させている。また、コリメートレンズ２１７を第１のビームスプリッタ２１３と第２ミラー２１６との間の光路上に配置している。
【００５５】
また、２レンズ方式にした場合でも、図１４に示すように、第２のビームスプリッタを２つのガラスプリズムを貼り合わせた構成ではなく、プレート型のビームスプリッタ２１５Ｂを用いることが出来る。プレート型のビームスプリッタ２１５Ａを用いることで２つのガラスプリズムを貼り合わせた構成のビームスプリッタに比べて安価になる。
【００５６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５７】
【図１】本発明の一実施形態に係わる光ディスク装置の構成を示す斜視図。
【図２】図１に示す光ディスク装置のドロワー部を示す斜視図。
【図３】図２に示すドロワー部のメカユニットを示す斜視図。
【図４】図３に示すメカユニットからカバー部材を除いた斜視図。
【図５】本発明の一実施形態に係わる光ピックアップ部の構成を示す図。
【図６】図５に示す光ピックアップ部の第１のビームスプリッタの分光特性を示す図。
【図７】図５に示す光ピックアップ部の第２のビームスプリッタの分光特性を示す図。
【図８】光ピックアップ部の変形例の第１のビームスプリッタの分光特性を示す図。
【図９】光ピックアップ部の変形例の第２のビームスプリッタの分光特性を示す図。
【図１０】光ピックアップ部の構成の変形例を示す図。
【図１１】図５に示す光ピックアップ部の第２のビームスプリッタの分光特性を示す図。
【図１２】光ピックアップ部の構成の変形例を示す図。
【図１３】光ピックアップ部の構成の変形例を示す図。
【図１４】光ピックアップ部の構成の変形例を示す図。
【符号の説明】
【００５８】
１２…光ディスク装置，１４…イジャクトボタン，１６…ドロワー部，１８…メカユニット，２０…カバー部材，２２…スピンドルモータ，２３…主軸，２４…対物レンズ，２５…副軸，２８…光ピックアップ部，３０…フレキシブルケーブル，２０１…青紫半導体レーザ光源，２０２…２波長半導体レーザ光源，２１１…回折格子，２１２…倍率変換レンズ，２１３…第１のビームスプリッタ，２１４…回折格子，２１５…第２のビームスプリッタ，２１７…コリメートレンズ，２１８…１／４波長板，２１９…第１ミラー，２２１…センサレンズ，２２２…信号検出用ＰＤＩＣ，２２３…光量モニタ用ＰＤ。
【図１】
2009170021.tif 000003
【図２】
2009170021.tif 000004
【図３】
2009170021.tif 000005
【図４】
2009170021.tif 000006
【図５】
2009170021.tif 000007
【図６】
2009170021.tif 000008
【図７】
2009170021.tif 000009
【図８】
2009170021.tif 000010
【図９】
2009170021.tif 000011
【図１０】
2009170021.tif 000012
【図１１】
2009170021.tif 000013
【図１２】
2009170021.tif 000014
【図１３】
2009170021.tif 000015
【図１４】
2009170021.tif 000016